(57)【要約】【課題】鍋内に入れた米や調理物を炊飯または調理する炊飯器において、炊飯または調理の途中に使用者が他の部屋で別の作業をしていても、知りたい時間が経過したことを通信手段を介して情報端末により使用者に知らせることで、使用者の望み通りに食事の準備を進めることができ、また使用者の好みにあったおいしい調理物が調理することができるようにし、使用者の使い勝手を向上する。【解決手段】炊飯器本体内に着脱自在に収納した鍋１に米や調理物などを入れ、この鍋１を加熱手段２により加熱し、この加熱手段２や情報端末５と通信する通信手段４を制御手段３により制御する。制御手段３は、炊飯または調理開始後、あらかじめ設定されている第１の所定時間が経過すると、通信手段４を介して情報端末５により報知するように通信手段４を制御するよう構成する。【選択図】図１
2006129912.tif 000002
【特許請求の範囲】
【請求項１】
炊飯器本体内に着脱自在に収納され米や調理物などを入れる鍋と、この鍋を加熱する加熱手段と、情報端末と通信する通信手段と、前記加熱手段や前記通信手段を制御する制御手段とを備え、前記制御手段は、炊飯または調理開始後、あらかじめ設定されている第１の所定時間が経過すると、前記通信手段を介して情報端末により報知するように前記通信手段を制御するよう構成した炊飯器。
【請求項２】
炊飯メニューや調理メニューを選択するメニュー選択手段を備え、制御手段は、前記メニュー選択手段によって選択したメニューに応じて、あらかじめ設定されている第１の所定時間を変更するようにした請求項１記載の炊飯器。
【請求項３】
調理メニューの調理時間を設定する調理時間設定手段を備え、制御手段は、メニュー選択手段によって調理時間を使用者が設定することができる調理メニューを選択した場合、前記調理時間設定手段によって設定した時間に応じて、あらかじめ設定されている第１の所定時間を変更するようにした請求項２記載の炊飯器。
【請求項４】
炊飯または調理開始後に報知する時間を手動で設定できる報知時間設定手段を備え、制御手段は、あらかじめ設定されている第１の所定時間を前記報知時間設定手段によって変更可能とした請求項１〜３のいずれか１項に記載の炊飯器。
【請求項５】
制御手段は、炊飯または調理開始後、第１の所定時間が経過し、通信手段を介して情報端末により報知した後、さらに第２の所定時間が経過すると、再度報知するように通信手段を制御するよう構成した請求項１〜４のいずれか１項に記載の炊飯器。
【請求項６】
炊飯または調理開始後、第１の所定時間が経過し、通信手段を介して情報端末により報知した後、さらに第２の所定時間が経過すると再度報知するのを取り消す再報知取消手段を備え、制御手段は、炊飯または調理開始後、第１の所定時間が経過し、通信手段を介して情報端末により報知した後、前記再報知取消手段により再報知取消操作が行われるまで、第２の所定時間が経過すると報知するという動作を繰り返すように通信手段を制御するよう構成した請求項５記載の炊飯器。
【請求項７】
炊飯または調理開始後に報知する回数を設定できる報知回数設定手段を備え、報知時間設定手段は、前記報知回数設定手段によって設定した回数分の報知時間を設定できるようにし、制御手段は、設定した各報知時間が経過すると、通信手段を介して情報端末により報知するように通信手段を制御するよう構成した請求項４〜６のいずれか１項に記載の炊飯器。
【請求項８】
報知時間設定手段により設定した時間を記憶する記憶手段を備え、制御手段は、前記記憶手段に記憶している時間を次回の炊飯または調理時に報知時間を設定するときの初期値とするようにした請求項４〜７のいずれか１項に記載の炊飯器。
【発明の詳細な説明】
【技術分野】
【０００１】
本発明は、鍋内に入れた米や調理物を炊飯または調理する炊飯器に関するものである。
【背景技術】
【０００２】
一般的に、使用者が食事の準備を行う際、炊飯を開始するのと同時におかずなどの調理を行うわけではなく、ご飯が炊きあがる時間とほぼ同時にその調理が完成するように炊飯終了時間から逆算して調理を開始している。また、炊飯器でおかゆや蒸しなどの調理メニューを調理する場合、使用者によって好まれる出来具合が異なるため、調理するときに自由に調理時間を設定できるものがあるが、そのようなメニューの場合、うまく調理されているかどうか調理の途中で調理物の状態を確認するときがある。
【０００３】
しかし、いずれの場合も使用者が常に時計を見ながら、おかずなどの調理を開始する時間や調理物の出来具合を確認する時間を判断する必要があった。そこで、従来の炊飯器では、このような使用者の実態をふまえ、おかずなどの調理を開始するタイミングなど、使用者が知りたい時間を報知するようにしているものがある（例えば、特許文献１参照）。
【特許文献１】特開２００２−３０６３３２号公報
【発明の開示】
【発明が解決しようとする課題】
【０００４】
しかしながら、このような従来の炊飯器では、ブザーやスピーカーなどの報知手段により知らせているため、使用者は台所など炊飯器のそばにいないと聞き逃してしまう恐れがあった。例えば、白米など通常炊飯メニューでは約５０分、おかゆや蒸し、ケーキなどの調理メニューではさらに時間がかかる場合があるため、その間、使用者が常に炊飯器のそばにいるとは限らず、使用者が他の部屋で何か別の作業をしていて、炊飯器の報知を聞き逃してしまうと、食事の準備が遅れてしまったり、調理物を好みの出来具合に調整することができなくなってしまうなど使い勝手の面で問題があった。
【０００５】
本発明は上記従来の課題を解決するもので、炊飯または調理の途中でおかずなどの調理を開始する時間、おかゆなどの出来具合を確認する時間など、使用者が知りたい時間が経過したことを通信手段を介して情報端末により使用者に知らせることで、使用者の望み通りに食事の準備を進めることができ、また調理物など使用者の望む出来具合に調整しやすくなり、使用者の好みにあったおいしい調理物を調理することができるようにし、使用者の使い勝手を向上することを目的としている。
【課題を解決するための手段】
【０００６】
本発明は上記目的を達成するために、炊飯器本体内に着脱自在に収納した鍋に米や調理物などを入れ、この鍋を加熱手段により加熱し、この加熱手段や情報端末と通信する通信手段を制御手段により制御するよう構成し、制御手段は、炊飯または調理開始後、あらかじめ設定されている第１の所定時間が経過すると、通信手段を介して情報端末により報知するように通信手段を制御するよう構成したものである。
【０００７】
これにより、使用者は炊飯または調理の途中に他の部屋で別の作業をしていても、おかずなどの調理を開始する時間、おかゆなどの出来具合を確認する時間など、使用者の知りたい時間が経過したことを忘れずに知ることができるので、使用者の望み通りに食事の準備を進めることができ、また、調理物など使用者の望む出来具合に調整しやすくなり、使用者の好みにあったおいしい調理物を調理することができ、使用者の使い勝手を向上することができる。
【発明の効果】
【０００８】
本発明の炊飯器は、使用者の望み通りに食事の準備を進めることができ、また調理物など使用者の望む出来具合に調整しやすくなり、使用者の好みにあったおいしい調理物を調理することができ、使用者の使い勝手を向上することができる。
【発明を実施するための最良の形態】
【０００９】
第１の発明は、炊飯器本体内に着脱自在に収納され米や調理物などを入れる鍋と、この鍋を加熱する加熱手段と、情報端末と通信する通信手段と、前記加熱手段や前記通信手段を制御する制御手段とを備え、前記制御手段は、炊飯または調理開始後、あらかじめ設定されている第１の所定時間が経過すると、前記通信手段を介して情報端末により報知するように前記通信手段を制御するよう構成したものであり、使用者は炊飯または調理の途中に他の部屋で別の作業をしていても、おかずなどの調理を開始する時間、おかゆなどの出来具合を確認する時間など、使用者の知りたい時間が経過したことを忘れずに知ることができるので、使用者の望み通りに食事の準備を進めることができ、また、調理物など使用者の望む出来具合に調整しやすくなり、使用者の好みにあったおいしい調理物を調理することができ、使用者の使い勝手を向上することができる。
【００１０】
第２の発明は、上記第１の発明において、炊飯メニューや調理メニューを選択するメニュー選択手段を備え、制御手段は、前記メニュー選択手段によって選択したメニューに応じて、あらかじめ設定されている第１の所定時間を変更するようにしたものであり、使用者は炊飯または調理の途中に他の部屋で別の作業をしていても、選択したメニューに関わらず、おかずなどの調理を開始するための時間、おかゆなどの出来具合を確認するための時間など、使用者の知りたい時間が経過したことを忘れずに知ることができるので、使用者の望み通りに食事の準備を進めることができ、また、調理物など使用者の望む出来具合に調整しやすくなり、使用者の好みにあったおいしい調理物を調理することができ、使用者の使い勝手を向上することができる。
【００１１】
第３の発明は、上記第２の発明において、調理メニューの調理時間を設定する調理時間設定手段を備え、制御手段は、メニュー選択手段によって調理時間を使用者が設定することができる調理メニューを選択した場合、前記調理時間設定手段によって設定した時間に応じて、あらかじめ設定されている第１の所定時間を変更するようにしたものであり、使用者は調理の途中に他の部屋で別の作業をしていても、設定した調理時間の長短に関わらず、おかずなどの調理を開始するための時間、おかゆなどの出来具合を確認するための時間など、使用者の知りたい時間が経過したことを忘れずに知ることができるので、使用者の望み通りに食事の準備を進めることができ、また調理物など使用者の望む出来具合に調整しやすくなり、使用者の好みにあったおいしい調理物を調理することができ、使用者の使い勝手を向上することができる。
【００１２】
第４の発明は、上記第１〜３のいずれか１つの発明において、炊飯または調理開始後に報知する時間を手動で設定できる報知時間設定手段を備え、制御手段は、あらかじめ設定されている第１の所定時間を前記報知時間設定手段によって変更可能としたものであり、使用者は炊飯または調理の途中に他の部屋で別の作業をしていても、おかずなどの調理を開始する時間、おかゆなどの出来具合を確認する時間など、使用者の知りたい時間が経過したことを忘れずに知ることができるので、使用者の望み通りに食事の準備を進めることができ、また調理物など使用者の望む出来具合に調整しやすくなり、使用者の好みにあったおいしい調理物を調理することができ、使用者の使い勝手を向上することができる。
【００１３】
第５の発明は、上記第１〜４のいずれか１つの発明において、制御手段は、炊飯または調理開始後、第１の所定時間が経過し、通信手段を介して情報端末により報知した後、さらに第２の所定時間が経過すると、再度報知するように通信手段を制御するよう構成したものであり、使用者はおかずなどの調理を開始する時間、おかゆなどの出来具合を確認する時間などの報知を一度聞き逃した場合でも、所定時間経過後、再度報知するので、使用者の知りたい時間が経過したことを忘れずに知ることができるので、使用者の望み通りに食事の準備を進めることができ、また調理物など使用者の望む出来具合に調整しやすくなり、使用者の好みにあったおいしい調理物を調理することができ、使用者の使い勝手を向上することができる。
【００１４】
第６の発明は、上記第５の発明において、炊飯または調理開始後、第１の所定時間が経過し、通信手段を介して情報端末により報知した後、さらに第２の所定時間が経過すると再度報知するのを取り消す再報知取消手段を備え、制御手段は、炊飯または調理開始後、第１の所定時間が経過し、通信手段を介して情報端末により報知した後、前記再報知取消手段により再報知取消操作が行われるまで、第２の所定時間が経過すると報知するという動作を繰り返すように通信手段を制御するよう構成したものであり、使用者はおかずなどの調理を開始する時間、おかゆなどの出来具合を確認する時間などの報知を聞き逃した場合でも、再報知動作を取り消さない限り、所定時間経過毎に繰り返し報知するので、使用者の知りたい時間が経過したことを忘れずに知ることができるので、使用者の望み通りに食事の準備を進めることができ、また調理物など使用者の望む出来具合に調整しやすくなり、使用者の好みにあったおいしい調理物を調理することができ、使用者の使い勝手を向上することができる。
【００１５】
第７の発明は、上記第４〜６のいずれか１つの発明において、炊飯または調理開始後に報知する回数を設定できる報知回数設定手段を備え、報知時間設定手段は、前記報知回数設定手段によって設定した回数分の報知時間を設定できるようにし、制御手段は、設定した各報知時間が経過すると、通信手段を介して情報端末により報知するように通信手段を制御するよう構成したものであり、使用者は炊飯または調理の途中に他の部屋で別の作業をしていても、複数のおかずの調理を開始するタイミングやおかゆなどの出来具合を確認するタイミング、調味料を加えるタイミングなど、複数の知りたい時間を忘れずに知ることができるので、使用者の望み通りに食事の準備を進めることができ、また調理物など使用者の望む出来具合に調整しやすくなり、使用者の好みにあったおいしい調理物を調理することができ、使用者の使い勝手を向上することができる。
【００１６】
第８の発明は、上記第４〜７のいずれか１つの発明において、報知時間設定手段により設定した時間を記憶する記憶手段を備え、制御手段は、前記記憶手段に記憶している時間を次回の炊飯または調理時に報知時間を設定するときの初期値とするようにしたものであり、使用者は炊飯または調理を行うたびに自身の望む報知タイミングに最初から設定し直すという煩わしさを解消することができ、設定が面倒で設定しなくなるということがなくなるので、使用者は他の部屋で別の作業をしていても、知りたい時間が経過したことを忘れずに知ることができ、使用者の望み通りに食事の準備を進めることができ、また調理物など使用者の望む出来具合に調整しやすくなり、使用者の好みにあったおいしい調理物を調理することができ、使用者の使い勝手を向上することができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における炊飯器のブロック図であり、図２は、同炊飯器の表示操作部を示すものである。
【００１９】
図１に示すように、鍋１は、炊飯器本体（図示せず）内に着脱自在に収納して米や調理物を入れるもので、ステンレス、鉄などの磁性体によって形成している。加熱手段２は加熱コイルにより構成しており、この加熱手段２はインバータ１３により供給された高周波電流により交番磁界を発生し、この交番磁界で鍋１を誘導加熱する。
【００２０】
制御手段３は、マイクロコンピュータ１２で構成しており、所定の炊飯または調理シーケンスに基づいて、加熱手段２を制御して加熱出力を制御する。さらに、制御手段３は通信手段４を制御し、携帯電話で構成した情報端末５と通信して情報端末５の報知動作を制御するものである。
【００２１】
メニュー選択手段６は、炊飯メニューまたは調理メニューを選択するもので、図２に示すように、メニューキー１４で構成している。調理時間設定手段７は、調理時間設定キー１７で構成し、おかゆのように使用者の好まれる調理物の出来具合が異なるため、調理シーケンスが固定されてないようなメニューにおいて、調理時間の設定を行うものである。また、スタートキー１５は選択したメニューで炊飯または調理をスタートするものであり、再報知取消手段９である取消キー１６は、炊飯動作や調理動作、再報知準備状態などを取り消すものである。
【００２２】
報知時間設定手段８は、炊飯または調理開始後に報知する時間を手動で設定できるようにしたもので、報知回数設定手段１０は、炊飯または調理開始後に報知する回数を設定できるようにしたもので、それぞれ報知時間設定キー１８、報知回数設定キー１９で構成している。
【００２３】
ＵＰキー２０、ＤＯＷＮキー２１は、調理時間、報知時間、報知回数などを設定するものであり、ＬＣＤ２２は炊飯残時間や調理残時間、報知時間、メニューなどを表示するものである。
【００２４】
記憶手段１１は、マイクロコンピュータ１２内のＲＡＭに相当し、報知時間設定手段８により設定した時間を記憶しておくようにしている。
【００２５】
ここで、制御手段３は、炊飯または調理開始後、あらかじめ設定されている所定の報知時間（第１の所定時間）が経過すると、通信手段４を介して情報端末５により報知するように通信手段４を制御するよう構成し、メニュー選択手段６によって選択したメニューに応じて、あらかじめ設定されている所定の報知時間（第１の所定時間）を変更するようにし、さらに、メニュー選択手段６によって調理時間を使用者が設定できる調理メニューを選択した場合、調理時間設定手段７によって設定した時間に応じて、あらかじめ設定されている所定の報知時間（第１の所定時間）を変更するようにしている。
【００２６】
上記構成において図２および図３を参照しながら動作、作用を説明する。まず、図３のステップＳ１でメニューキー１４により、メニューを選択し、ステップＳ２で選択したメニューがおかゆかどうかを判定する。おかゆでなければ、ステップＳ４へと進むが、もしおかゆであれば、ステップＳ３で調理時間設定手段７である調理時間設定キー１７を押すことにより調理時間設定状態とし、ＵＰキー２０、ＤＯＷＮキー２１により調理時間の設定を行う。このとき、ＵＰキー２０を１回押す毎に＋３０分、ＤＯＷＮキー２１を１回押す毎に−３０分の設定ができるようにしている。
【００２７】
そして、ステップＳ４であらかじめ設定されている所定の報知時間（本実施の形態では４０分とする）をこのとき選択したメニューもしくは設定した調理時間を基に変更し、報知時間として自動設定する。本実施の形態では、この報知時間を白米のような炊飯メニューであれば、３０分、おかゆのような調理メニューであれば、調理時間−２０分で設定するものとする。よって、白米や無洗米、すしめしメニューなどを選択すれば、報知時間は３０分後、おかゆを選択し、調理時間を６０分と設定すると、報知時間は４０分後ということになる。設定が完了するとステップＳ５へと進む。ステップＳ５ではスタートキー１５により炊飯または調理スタートの要求があるかどうかを判定する。スタートの要求がなければ、ステップＳ１へ戻る。
【００２８】
ステップＳ５でスタートの要求があれば、ステップＳ６で各メニューのシーケンスに基づき、炊飯または調理を開始する。そして、ステップＳ７で炊飯または調理時間の減算を行う。このとき、図２に示すように、ＬＣＤ２２に炊飯または調理残時間を１分毎に表示する。ステップＳ８では、使用者の知りたい時間の経過を報知するための報知時間の減算を行う。このとき、減算の結果が０分を下回る場合、−１分、−２分、…と減算していくものとする。そして、ステップＳ９でその報知時間が０分になったかどうかの判定を行う。
【００２９】
ステップＳ９で０分になっていれば、ステップＳ１０で通信手段４を介して、情報端末５である携帯電話と通信し、使用者の知りたい時間が経過したことを報知し、ステップＳ１１へ進む。０分になっていなければ、そのままステップＳ１１へと進む。ステップＳ１１では、炊飯または調理時間が０分になったかどうかの判定を行う。０分になっていれば、炊飯または調理終了を知らせるための報知を通信手段４を介して、情報端末５である携帯電話と通信して行い、炊飯または調理を終了する。０分になっていなければ、ステップＳ６へと戻り、炊飯または調理を継続する。
【００３０】
以上のように、本実施の形態においては、炊飯または調理開始後、あらかじめ設定されている所定の報知時間（第１の所定時間）が経過すると、通信手段４を介して情報端末により報知するように通信手段４を制御することにより、使用者は炊飯または調理の途中に他の部屋で別の作業をしていても、おかずなどの調理を開始する時間、おかゆなどの出来具合を確認する時間など、使用者の知りたい時間が経過したことを忘れずに知ることができるので、使用者の望み通りに食事の準備を進めることができ、また調理物など使用者の望む出来具合に調整しやすくなり、使用者の好みにあったおいしい調理物を調理することができ、使用者の使い勝手を向上することができる。
【００３１】
また、メニュー選択手段６によって選択したメニューに応じて、あらかじめ設定されている所定の報知時間（第１の所定時間）を変更することにより、使用者は炊飯または調理の途中に他の部屋で別の作業をしていても、選択したメニューに関わらず、おかずなどの調理を開始するための時間、おかゆなどの出来具合を確認するための時間など、使用者の知りたい時間が経過したことを忘れずに知ることができるので、使用者の望み通りに食事の準備を進めることができ、また調理物など使用者の望む出来具合に調整しやすくなり、使用者の好みにあったおいしい調理物を調理することができ、使用者の使い勝手を向上することができる。
【００３２】
また、メニュー選択手段６によって調理時間を使用者が設定できる調理メニューを選択した場合、調理時間設定手段７によって設定した時間に応じて、あらかじめ設定されている所定の報知時間（第１の所定時間）を変更することにより、使用者は調理の途中に他の部屋で別の作業をしていても、設定した調理時間の長短に関わらず、おかずなどの調理を開始するための時間、おかゆなどの出来具合を確認するための時間など、使用者の知りたい時間が経過したことを忘れずに知ることができるので、使用者の望み通りに食事の準備を進めることができ、また調理物など使用者の望む出来具合に調整しやすくなり、使用者の好みにあったおいしい調理物を調理することができ、使用者の使い勝手を向上することができる。
【００３３】
なお、本実施の形態では、鍋１を加熱するのに加熱手段２として加熱コイルを用いたが、これはヒータやガス燃焼器具などを用いた加熱方式であってもよい。
【００３４】
また、本実施の形態では、調理時間の設定を行うメニューとしておかゆメニューを用いたが、これは蒸しやケーキなどのメニューでもよく、調理シーケンスが固定されてないようなメニューであれば何でもよい。
【００３５】
また、本実施の形態では、情報端末５として携帯電話を用いたが、通信機能を搭載し、使用者への報知が可能な情報端末であれば何でもよい。
【００３６】
（実施の形態２）
図１に示す制御手段３は、あらかじめ設定されている所定の報知時間（第１の所定時間）を報知時間設定手段８によって変更可能とするようにしている。他の構成は上記実施の形態１と同じである。
【００３７】
上記構成において図４および図５を参照しながら動作、作用を説明する。なお、図４のステップＳ１からステップＳ１１までの動作は、上記実施の形態１の動作と同じであるので説明を省略する。
【００３８】
図４のステップＳ４であらかじめ設定されている所定の報知時間（第１の所定時間）をこのとき選択したメニューもしくは設定した調理時間を基に変更し、報知時間として自動設定した後、ステップＳ１２で報知時間設定手段８である報知時間設定キー１８を押すことにより報知時間設定状態とし、図５に示すように、ＵＰキー２０、ＤＯＷＮキー２１により使用者の知りたい時間を手動で設定する。そして、ステップＳ４で自動設定された報知時間をこのとき手動で設定した時間に変更する。このとき、報知時間の設定は、ＬＣＤ２２を見ながら設定するものとし、ＵＰキー２０を１回押す毎に＋１０分、ＤＯＷＮキーを１回押す毎に−１０分の設定ができるようにしている。
【００３９】
また、炊飯または調理を開始すると、ＬＣＤ２２の表示は、上記実施の形態１と同様に、炊飯または調理残時間に変わるが、炊飯または調理中でも報知時間時間設定キー１８を押すことで、表示を報知時間に切り替えることができるようにしている。表示を炊飯または調理残時間に戻したければ、調理時間設定キー１７を押せばよい。
【００４０】
以上のように、本実施の形態においては、炊飯または調理開始後に報知する所定の報知時間（第１の所定時間）を報知時間設定手段８によって変更可能とすることにより、使用者は炊飯または調理の途中に他の部屋で別の作業をしていても、おかずなどの調理を開始する時間、おかゆなどの出来具合を確認する時間など、使用者の知りたい時間が経過したことを忘れずに知ることができるので、使用者の望み通りに食事の準備を進めることができ、また、調理物など使用者の望む出来具合に調整しやすくなり、使用者の好みにあったおいしい調理物を調理することができ、使用者の使い勝手を向上することができる。
【００４１】
（実施の形態３）
図１に示す制御手段３は、炊飯または調理開始後、あらかじめ設定されている所定の報知時間（第１の所定時間）が経過し、通信手段４を介して情報端末５により報知した後、さらに再報知時間（第２の所定時間）が経過すると、再度報知するように通信手段４を制御するようにしている。他の構成は上記実施の形態２と同じである。
【００４２】
上記構成において図６を参照しながら動作、作用を説明する。なお、図６のステップＳ１からステップＳ１２までの動作は、上記実施の形態２の動作と同じであるので説明を省略する。
【００４３】
図６のステップＳ９で報知時間が０分になったかどうかの判定を行い、もし、０分になっていなければ、そのままステップＳ１４へと進み、もし０分になっていれば、ステップＳ１０で通信手段４を介して報知し、つぎのステップＳ１３で再報知時間の初期化を行う。本実施の形態では、この再報知時間を３分とする。
【００４４】
ステップＳ１４では、以前に使用者の知りたい時間を報知したかどうかの判定を行う。これは、減算している報知時間が０分を下回っているかどうかで判定するものとする。もし、以前に報知していなければ、そのままステップＳ１１へと進むが、もし以前に報知していれば、ステップＳ１５へと進み、再報知時間の減算を行う。この減算も報知時間の減算と同様に減算結果が０分を下回る場合、−１分、−２分、…と減算していくものとする。そして、つぎのステップＳ１６で再報知時間が０分になったかどうかの判定を行う。
【００４５】
０分になっていなければ、そのままステップＳ１１へと進むが、０分になっていれば、ステップＳ１７で通信手段４を介して、情報端末５である携帯電話と通信し、使用者の知りたい時間から３分が経過したことを報知し、ステップＳ１１へ進む。
【００４６】
以上のように、本実施の形態においては、炊飯または調理開始後、あらかじめ設定されている所定の報知時間（第１の所定時間）が経過し、通信手段４を介して情報端末５により報知した後、さらに再報知時間（第２の所定時間）が経過すると、再度報知するように通信手段４を制御することにより、使用者はおかずなどの調理を開始する時間、おかゆなどの出来具合を確認する時間などの報知を一度聞き逃した場合でも、所定時間経過後、再度報知するので、使用者の知りたい時間が経過したことを忘れずに知ることができるので、使用者の望み通りに食事の準備を進めることができ、また調理物など使用者の望む出来具合に調整しやすくなり、使用者の好みにあったおいしい調理物を調理することができ、使用者の使い勝手を向上することができる。
【００４７】
なお、本実施の形態では、再報知するための第２の所定時間を３分としたが、これは１分でもよく、使用者が最初の報知を聞き逃した場合に知りたい時間が経過したことをそのまま忘れてしまわないように再度報知するのに適した時間であれば何分でもよい。
【００４８】
（実施の形態４）
図１に示す制御手段３は、炊飯または調理開始後、あらかじめ設定されている所定の報知時間（第１の所定時間）が経過し、通信手段４を介して情報端末５により報知した後、再報知取消手段９により再報知取消操作が行われるまで、再報知時間（第２の所定時間）が経過すると報知するという動作を繰り返すように通信手段４を制御するようにしている。他の構成は上記実施の形態３と同じである。
【００４９】
上記構成において図７を参照しながら動作、作用を説明する。なお、図７のステップＳ１からステップＳ１７までの動作は、上記実施の形態３の動作と同じであるので説明を省略する。
【００５０】
図７のステップＳ１４で以前に使用者の知りたい時間を報知したかどうかの判定を行い、もし、報知していれば、ステップＳ１８で再報知取消手段９である取消キー１６による再報知取消操作が行われたかどうかを判定する。もし、再報知取消操作が行われていれば、そのままステップＳ１１へと進む。もし、行われていなければ、ステップＳ１５で再報知時間の減算を行い、ステップＳ１６で再報知時間が０分になったかどうかの判定を行う。
【００５１】
ここで、もし再報知時間が０分になっていなければ、そのままステップＳ１１へと進み、もし、再報知時間が０分になっていれば、ステップＳ１７で通信手段４を介して情報端末５により報知を行い、その後、ステップＳ１９で再報知時間の初期化を行う。
【００５２】
以上のように、本実施の形態においては、炊飯または調理開始後、あらかじめ設定されている所定の報知時間（第１の所定時間）が経過し、通信手段４を介して情報端末５により報知した後、再報知取消手段９により再報知取消操作が行われるまで、再報知時間（第２の所定時間）が経過すると報知するという動作を繰り返すように通信手段４を制御することにより、使用者はおかずなどの調理を開始する時間、おかゆなどの出来具合を確認する時間などの報知を聞き逃した場合でも、再報知動作を取り消さない限り、所定時間経過毎に繰り返し報知するので、使用者の知りたい時間が経過したことを忘れずに知ることができるので、使用者の望み通りに食事の準備を進めることができ、また調理物など使用者の望む出来具合に調整しやすくなり、使用者の好みにあったおいしい調理物を調理することができ、使用者の使い勝手を向上することができる。
【００５３】
なお、本実施の形態では、再報知取消手段９を炊飯器の表示操作部に配置して操作するようにしたが、これは情報端末５に配置して、通信手段４を介して再報知動作を取り消すようにしてもよい。
【００５４】
（実施の形態５）
図１に示す制御手段３は、報知回数設定手段１０によって設定した報知回数に応じて設定した各報知時間が経過すると、通信手段４を介して情報端末５により報知するように通信手段４を制御するようにしている。他の構成は上記実施の形態２と同じである。
【００５５】
上記構成において図８及び図９を参照しながら動作、作用を説明する。なお、図８のステップＳ１からステップＳ１２までの動作は、上記実施の形態２の動作と同じであるので説明を省略する。
【００５６】
図８のステップＳ４で、選択したメニューもしくは設定した調理時間を基に使用者の知りたい時間を報知するための報知時間を自動設定した後、ステップＳ２０で報知回数設定手段１０である報知回数設定キー１９を押すことにより報知回数設定状態とし、ＵＰキー２０、ＤＯＷＮキー２１により報知回数を設定する。このとき、報知回数の設定は、ＬＣＤ２２を見ながら設定するものとし、ＵＰキー２０を１回押す毎に＋１回、ＤＯＷＮキー２１を１回押す毎に−１回の設定ができるようにしている。
【００５７】
報知回数を設定すると、ステップＳ１２で報知時間の設定を行う。ここでは、設定した報知回数分の報知時間を設定する。例えば、図９（ａ）に示すように、ステップＳ２０で２回の報知回数を設定したとする。このとき、まず報知時間設定キー１８を押すことにより、図９（ｂ）に示すように、最初の報知時間の設定状態となる。そこで、ＵＰキー２０、ＤＯＷＮキー２１により、最初の報知時間を設定する。つぎにもう一度報知時間設定キー１８を押すことにより、図９（ｃ）に示すように、２回目の報知時間の設定状態となる。
【００５８】
そこで、先ほどと同様に、ＵＰキー２０、ＤＯＷＮキー２１により２回目の報知時間の設定を行う。ここで設定した報知時間はステップＳ８でそれぞれ減算され、ステップＳ９で各報知時間が０分になったか判定を行い、０分になっていれば、ステップＳ１０で通信手段４を介して情報端末５により報知を行う。
【００５９】
以上のように、本実施の形態においては、報知回数設定手段１０によって設定した報知回数に応じて設定した各報知時間が経過すると、通信手段４を介して情報端末５により報知するように通信手段４を制御することにより、使用者は炊飯または調理の途中に他の部屋で別の作業をしていても、複数のおかずの調理を開始するタイミングやおかゆなどの出来具合を確認するタイミング、調味料を加えるタイミングなど、複数の知りたい時間を忘れずに知ることができるので、使用者の望み通りに食事の準備を進めることができ、また調理物など使用者の望む出来具合に調整しやすくなり、使用者の好みにあったおいしい調理物を調理することができ、使用者の使い勝手を向上することができる。
【００６０】
（実施の形態６）
図１に示す制御手段３は、記憶手段１１に記憶している時間を次回の炊飯または調理時に報知時間を設定するときの初期値とするようにしている。他の構成は上記実施の形態２と同じである。
【００６１】
上記構成において図１０を参照しながら動作、作用を説明する。なお、図１０のステップＳ１からステップＳ１２までのステップＳ４を除く動作は、上記実施の形態２の動作と同じであるので説明を省略する。
【００６２】
図１０のステップＳ５で炊飯または調理スタートの要求があるかどうかを判定したとき、スタートの要求があれば、ステップＳ２２でステップＳ１２で設定した報知時間を記憶手段１１に記憶する。そして、つぎに炊飯または調理を開始するとき、おかゆメニューを選択した場合は、ステップＳ３で調理時間を設定した後に、白米などの炊飯メニューを選択した場合は、そのままステップＳ２１へと進み、そこで記憶手段１１に記憶している報知時間をステップＳ１２で報知時間を設定する時の初期値として設定する。
【００６３】
以上のように、本実施の形態においては、記憶手段１１に記憶している時間を次回の炊飯または調理時に報知時間を設定するときの初期値とすることにより、使用者は炊飯または調理を行うたびに自身の望む報知タイミングに最初から設定し直すという煩わしさを解消することができ、設定が面倒で設定しなくなるということがなくなるので、使用者は他の部屋で別の作業をしていても、知りたい時間が経過したことを忘れずに知ることができ、使用者の望み通りに食事の準備を進めることができ、また調理物など使用者の望む出来具合に調整しやすくなり、使用者の好みにあったおいしい調理物を調理することができ、使用者の使い勝手を向上することができる。
【産業上の利用可能性】
【００６４】
以上のように、本発明にかかる炊飯器は、使用者は炊飯または調理の途中に他の部屋で別の作業をしていても、使用者の望み通りに食事の準備を進めることができ、また調理物など使用者の望む出来具合に調整しやすくなり、使用者の好みにあったおいしい調理物を調理することができ、使用者の使い勝手を向上することができるので、鍋内に入れた米や調理物を炊飯または調理する炊飯器として有用である。
【図面の簡単な説明】
【００６５】
【図１】本発明の実施の形態１における炊飯器のブロック図
【図２】同炊飯器の表示操作部を示す図
【図３】同炊飯器の動作フローチャート
【図４】本発明の実施の形態２における炊飯器の動作フローチャート
【図５】同炊飯器の表示操作部を示す図
【図６】本発明の実施の形態３における炊飯器の動作フローチャート
【図７】本発明の実施の形態４における炊飯器の動作フローチャート
【図８】本発明の実施の形態５における炊飯器の動作フローチャート
【図９】（ａ）同炊飯器の表示操作部の報知回数設定時の状態を示す図（ｂ）同炊飯器の表示操作部の最初の報知時間設定時の状態を示す図（ｃ）同炊飯器の表示操作部の２回目の報知時間設定時の状態を示す図
【図１０】本発明の実施の形態６における炊飯器の動作フローチャート
【符号の説明】
【００６６】
１  鍋
２  加熱手段
３  制御手段
４  通信手段
５  情報端末
【図１】
2006129912.tif 000003
【図２】
2006129912.tif 000004
【図３】
2006129912.tif 000005
【図４】
2006129912.tif 000006
【図５】
2006129912.tif 000007
【図６】
2006129912.tif 000008
【図７】
2006129912.tif 000009
【図８】
2006129912.tif 000010
【図９】
2006129912.tif 000011
【図１０】
2006129912.tif 000012